【手続補正書】
【提出日】平成23年11月2日(2011.11.2)
【手続補正１】
【補正対象書類名】明細書
【補正対象項目名】発明の名称
【補正方法】変更
【補正の内容】
【発明の名称】電子機器、動作制御方法及びプログラム
【手続補正２】
【補正対象書類名】明細書
【補正対象項目名】０００１
【補正方法】変更
【補正の内容】
【０００１】
本発明は、電子機器、この電子機器を用いた動作制御方法及びプログラムに関する。
【手続補正３】
【補正対象書類名】明細書
【補正対象項目名】０００５
【補正方法】変更
【補正の内容】
【０００５】
そこで、本発明の課題は、所定動作の実行制御を容易に、且つ、確実に行うことができる電子機器、この電子機器を用いた動作制御方法及びプログラムを提供することである。
【手続補正４】
【補正対象書類名】明細書
【補正対象項目名】０００６
【補正方法】変更
【補正の内容】
【０００６】
上記課題を解決するため、請求項１に記載の発明の電子機器は、所定人物の複数の指の指紋に係る指紋データを指の種類に対応付けて複数登録する指紋登録手段と、装置本体の所定位置に設けられたセンサにより、使用者の何れかの指の指紋を検出して指紋データを生成する指紋検出手段と、前記指紋登録手段に登録されている複数の指紋データの中で、前記指紋検出手段により生成された指紋データを照合して、装置本体の所定位置に位置する使用者の指の種類を特定する特定手段と、前記特定手段により特定された指の種類に応じて装置本体の動作を制御する制御手段と、を備えることを特徴としている。
【手続補正５】
【補正対象書類名】明細書
【補正対象項目名】０００７
【補正方法】変更
【補正の内容】
【０００７】
請求項２に記載の発明は、更に、前記指紋検出手段は、使用者の指の位置が装置本体に対応して決められた複数の所定位置のいずれであるかを検出し、前記制御手段は、前記特定手段により特定された指の種類と、前記指紋検出手段により検出された指の位置との組み合わせに応じて動作を制御することを特徴としている。
【手続補正６】
【補正対象書類名】明細書
【補正対象項目名】０００８
【補正方法】変更
【補正の内容】
【０００８】
請求項３に記載の発明は、更に、前記指紋検出手段は、使用者の指の向きを検出し、前記制御手段は、前記特定手段により特定された指の種類と、前記指紋検出手段により検出された指の向きとの組み合わせに応じて動作を制御することを特徴としている。
【手続補正７】
【補正対象書類名】明細書
【補正対象項目名】０００９
【補正方法】変更
【補正の内容】
【０００９】
請求項４に記載の発明は、更に、被写体を撮像して画像フレームを生成する撮像手段を更に備え、前記制御手段は、前記特定手段により特定された装置本体の所定位置を保持する指の種類に応じて、前記撮像手段による撮像時に選択可能な撮影モードである通常撮影モードと自分撮り撮影モードとを切り換える動作モード切換手段を備えることを特徴としている。
【手続補正８】
【補正対象書類名】明細書
【補正対象項目名】００１０
【補正方法】変更
【補正の内容】
【００１０】
請求項５に記載の発明は、更に、前記指紋検出手段は、装置本体の所定位置に設けられた平面状の指紋センサを備え、前記撮像手段により生成された被写体の画像フレームから顔を検出する顔検出手段と、前記指紋センサに置かれた指の位置と対応付けられ、前記画像フレームにおける前記顔検出手段による顔の検出領域を設定する領域設定手段と、前記撮像手段により前記被写体を自動的に撮像させる自動撮影制御手段とを備え、前記自動撮影制御手段は、前記自分撮り撮影モードにて、前記領域設定手段により設定された検出領域内から前記顔検出手段により顔が検出された場合に、前記撮像手段により前記被写体を自動的に撮像させることを特徴としている。
【手続補正９】
【補正対象書類名】明細書
【補正対象項目名】００１１
【補正方法】変更
【補正の内容】
【００１１】
請求項６に記載の発明は、更に、特定使用者の判定用の指の指紋に係る判定用指紋データを登録する特定指紋登録手段と、使用者の判定用の指の指紋を検出して判定用指紋データを生成する判定用指紋検出手段と、前記特定指紋登録手段に登録されている判定用指紋データと前記判定用指紋検出手段により生成された判定用指紋データとを照合して、前記特定使用者の判定用の指の指紋が検出されたか否かを判定する特定使用者判定手段と、前記特定使用者判定手段により、前記特定使用者の判定用の指の指紋が検出されたと判定された場合には、前記特定手段により特定された指の種類に応じて装置本体の所定動作の内容を制御し、前記特定使用者の判定用の指の指紋が検出されないと判定された場合には、前記装置本体の所定動作の実行を制限することを特徴としている。
【手続補正１０】
【補正対象書類名】明細書
【補正対象項目名】００１２
【補正方法】変更
【補正の内容】
【００１２】
請求項７に記載の発明は、更に、前記指紋検出手段は、前記判定用指紋検出手段として、使用者の判定用の指の指紋を検出して判定用指紋データを生成することを特徴としている。
【手続補正１１】
【補正対象書類名】明細書
【補正対象項目名】００１３
【補正方法】変更
【補正の内容】
【００１３】
請求項８に記載の発明の動作制御方法は、所定人物の複数の指の指紋に係る指紋データを指の種類に対応付けて複数登録する指紋登録手段を備える電子機器に、装置本体の所定位置に設けられたセンサにより、使用者の何れかの指の指紋を検出して指紋データを生成する処理と、生成された指紋データを前記指紋登録手段に登録されている複数の指紋データの中で照合して、装置本体の所定位置に位置する使用者の指の種類を特定する処理と、特定された指の種類に応じて装置本体の動作を制御する処理と、を実行させることを特徴としている。
【手続補正１２】
【補正対象書類名】明細書
【補正対象項目名】００１４
【補正方法】変更
【補正の内容】
【００１４】
請求項９に記載の発明のプログラムは、所定人物の複数の指の指紋に係る指紋データを指の種類に対応付けて複数登録する指紋登録手段を備える電子機器のコンピュータを、装置本体の所定位置に設けられたセンサにより、使用者の何れかの指の指紋を検出して指紋データを生成する指紋検出手段、前記指紋登録手段に登録されている複数の指紋データの中で、前記指紋検出手段により生成された指紋データを照合して、装置本体の所定位置に位置する使用者の指の種類を特定する特定手段、前記特定手段により特定された指の種類に応じて装置本体の動作を制御する制御手段、として機能させることを特徴としている。
【手続補正１３】
【補正対象書類名】特許請求の範囲
【補正対象項目名】全文
【補正方法】変更
【補正の内容】
【特許請求の範囲】
【請求項１】
所定人物の複数の指の指紋に係る指紋データを指の種類に対応付けて複数登録する指紋登録手段と、
装置本体の所定位置に設けられたセンサにより、使用者の何れかの指の指紋を検出して指紋データを生成する指紋検出手段と、
前記指紋登録手段に登録されている複数の指紋データの中で、前記指紋検出手段により生成された指紋データを照合して、装置本体の所定位置に位置する使用者の指の種類を特定する特定手段と、
前記特定手段により特定された指の種類に応じて装置本体の動作を制御する制御手段と、
を備えることを特徴とする電子機器。
【請求項２】
前記指紋検出手段は、使用者の指の位置が装置本体に対応して決められた複数の所定位置のいずれであるかを検出し、
前記制御手段は、前記特定手段により特定された指の種類と、前記指紋検出手段により検出された指の位置との組み合わせに応じて動作を制御することを特徴とする請求項１に記載の電子機器。
【請求項３】
前記指紋検出手段は、使用者の指の向きを検出し、
前記制御手段は、前記特定手段により特定された指の種類と、前記指紋検出手段により検出された指の向きとの組み合わせに応じて動作を制御することを特徴とする請求項１または２に記載の電子機器。
【請求項４】
被写体を撮像して画像フレームを生成する撮像手段を更に備え、
前記制御手段は、
前記特定手段により特定された装置本体の所定位置を保持する指の種類に応じて、前記撮像手段による撮像時に選択可能な撮影モードである通常撮影モードと自分撮り撮影モードとを切り換える動作モード切換手段を備えることを特徴とする請求項１〜３の何れか一項に記載の電子機器。
【請求項５】
前記指紋検出手段は、
装置本体の所定位置に設けられた平面状の指紋センサを備え、
前記撮像手段により生成された被写体の画像フレームから顔を検出する顔検出手段と、
前記指紋センサに置かれた指の位置と対応付けられ、前記画像フレームにおける前記顔検出手段による顔の検出領域を設定する領域設定手段と、
前記撮像手段により前記被写体を自動的に撮像させる自動撮影制御手段と
を備え、
前記自動撮影制御手段は、
前記自分撮り撮影モードにて、前記領域設定手段により設定された検出領域内から前記顔検出手段により顔が検出された場合に、前記撮像手段により前記被写体を自動的に撮像させることを特徴とする請求項４に記載の電子機器。
【請求項６】
特定使用者の判定用の指の指紋に係る判定用指紋データを登録する特定指紋登録手段と、
使用者の判定用の指の指紋を検出して判定用指紋データを生成する判定用指紋検出手段と、
前記特定指紋登録手段に登録されている判定用指紋データと前記判定用指紋検出手段により生成された判定用指紋データとを照合して、前記特定使用者の判定用の指の指紋が検出されたか否かを判定する特定使用者判定手段と、
前記特定使用者判定手段により、前記特定使用者の判定用の指の指紋が検出されたと判定された場合には、前記特定手段により特定された指の種類に応じて装置本体の所定動作の内容を制御し、前記特定使用者の判定用の指の指紋が検出されないと判定された場合には、前記装置本体の所定動作の実行を制限する動作内容制限手段と、
を更に備えることを特徴とする請求項１〜５の何れか一項に記載の電子機器。
【請求項７】
前記指紋検出手段は、
前記判定用指紋検出手段として、使用者の判定用の指の指紋を検出して判定用指紋データを生成することを特徴とする請求項６に記載の電子機器。
【請求項８】
所定人物の複数の指の指紋に係る指紋データを指の種類に対応付けて複数登録する指紋登録手段を備える電子機器に、
装置本体の所定位置に設けられたセンサにより、使用者の何れかの指の指紋を検出して指紋データを生成する処理と、
生成された指紋データを前記指紋登録手段に登録されている複数の指紋データの中で照合して、装置本体の所定位置に位置する使用者の指の種類を特定する処理と、
特定された指の種類に応じて装置本体の動作を制御する処理と、
を実行させることを特徴とする動作制御方法。
【請求項９】
所定人物の複数の指の指紋に係る指紋データを指の種類に対応付けて複数登録する指紋登録手段を備える電子機器のコンピュータを、
装置本体の所定位置に設けられたセンサにより、使用者の何れかの指の指紋を検出して指紋データを生成する指紋検出手段、
前記指紋登録手段に登録されている複数の指紋データの中で、前記指紋検出手段により生成された指紋データを照合して、装置本体の所定位置に位置する使用者の指の種類を特定する特定手段、
前記特定手段により特定された指の種類に応じて装置本体の動作を制御する制御手段、
として機能させることを特徴とするプログラム。